(57)【要約】【課題】プロジェクタの投写画像の一部分を、簡単に拡大表示させる装置を提案する。【解決手段】部分拡大表示装置１０は、透明で平行平面に形成された板の中央に凹レンズ４１が形成されたレンズ板４０を備える。レンズ板４０は光軸２１と垂直な前板３１と前板３１に取り付けられた支持板との間に挟持され、光軸２１と直交する面内で移動自在に支持される。レンズ板４０は端部に操作つまみ４２と凸部４３が立設され、支持板３６は凸部４３を水平方向に移動自在に支持する長孔が形成される。前板３１には操作つまみ４２が突出する操作開口４７と投射開口１５とが形成される。操作開口４７は凹レンズ４１が表示画像範囲内を移動自在な矩形範囲と、表示画像範囲外となる切り欠き４８とからなり、レンズ板４０は、長孔に支持された凸部４３が水平位置を保持した状態で、操作つまみ４２が操作開口４７で規制された範囲内を移動自在とされる。【選択図】図１
2012053146.tif 000002
【特許請求の範囲】
【請求項１】
画像が付与された光をスクリーンに投射する投射レンズを備えた投射型プロジェクタに用いられ、前記スクリーン上の画像の一部を拡大する部分拡大表示装置であって、
前記投射レンズと前記スクリーンとの間に配置される凹レンズと、
前記凹レンズが設けられるとともに前記凹レンズを光軸と直交する面内で移動自在に保持するレンズ保持部材と、
前記レンズ保持部材の一端側に設けられ、前記レンズ保持部材を操作して前記凹レンズを移動させる操作部材と、
を備えたことを特徴とする投射型プロジェクタ用部分拡大表示装置。
【請求項２】
前記レンズ保持部材を挟持する一対の支持板を備え、前記一対の支持板の一方に前記操作部材が突出する操作開口が設けられたことを特徴とする請求項１記載の投射型プロジェクタ用部分拡大表示装置。
【請求項３】
前記操作部材は前記操作開口により操作範囲が規制され、前記凹レンズの移動による一部画像の拡大可能範囲が前記投射レンズによる全投写範囲と一致することを特徴とする請求項２記載の投射型プロジェクタ用部分拡大表示装置。
【請求項４】
前記操作開口は、前記操作部材による前記凹レンズの移動範囲が前記投射レンズによる画像の投写範囲外となる切り欠きが形成されたことを特徴とする請求項３記載の投射型プロジェクタ用部分拡大表示装置。
【請求項５】
前記レンズ保持部材の他端側に設けられ、前記一対の支持板の他方に形成された長孔と係合して光軸と直交する直線上を移動自在に支持された操作補助部材を備えたことを特徴とする請求項１〜４いずれかに記載の投射型プロジェクタ用部分拡大表示装置。
【請求項６】
前記レンズ保持部材は、前記凹レンズが形成された透明な平行平面板であることを特徴とする請求項１〜５いずれかに記載の投射型プロジェクタ用部分拡大表示装置。
【請求項７】
前記レンズ保持部材は、前記凹レンズを保持するレンズ保持部が形成されるとともに前記レンズ保持部の左右に一対のアームが形成され、一方のアームの先端に前記操作部材が設けられるとともに他方のアームの先端に前記操作補助部材が設けられたことを特徴とする請求項５記載の投射型プロジェクタ用部分拡大表示装置。
【請求項８】
前記操作部材と操作補助部材が前記レンズ保持部材に一体に形成されたことを特徴とする請求項６又は７記載の投射型プロジェクタ用部分拡大表示装置。
【請求項９】
投射型プロジェクタが載置されるとともに上下に位置調節自在とされた載置板を備えたことを特徴とする請求項１〜８いずれかに記載の投射型プロジェクタ用部分拡大表示装置。
【請求項１０】
投射型プロジェクタの筐体内で前記投射レンズの前方に配置されたことを特徴とする請求項１〜９いずれかに記載の投射型プロジェクタ用部分拡大表示装置。
【発明の詳細な説明】
【技術分野】
【０００１】
本発明は、画像が付与された光を投射してスクリーンに前記画像を投映する投射型プロジェクタに用いられ、前記スクリーン上の画像の一部を拡大する部分拡大表示装置に関するものである。
【背景技術】
【０００２】
投射型プロジェクタは、光源装置から出射された光（照明光）がＬＣＤやＤＭＤなどの光変調装置（画像形成装置）によって画像信号（画像情報）に応じた画像に変調されて画像が付与された画像光として投射レンズから出射され、スクリーン上に前記画像が表示される。この投射型プロジェクタにパソコン、あるいはＤＶＤ等の記憶メディアの再生装置を接続して、その再生画像をスクリーン等に投写する方法も知られている。例えば、下記特許文献１にはＤＶＤに記録された画像をスクリーンに投写する投射型映像表示装置が示されている。また、下記特許文献２には、赤外リモコンを用いてユーザが視聴する最適位置にプロジェクタを移動させるようにした装置が示されている。
【０００３】
このように、投射型プロジェクタによって大勢の人が同じ画像を同時に見ることができるが、リモコンを用いる方法が示されるようにスクリーンとユーザとの距離は離れており、画数の多い字や図形の細部などは画像の一部を拡大して確認したいことが良くある。下記特許文献３に記載されるように、ワープロやパソコンにはモニタ画面に表示された画像の一部を拡大して表示させる機能を備えることができる。例えば、プロジェクタにパソコンを接続してパソコンに表示させた画像をプロジェクタに転送し、スクリーンに表示させることができる。このようにすれば、パソコンを操作して画像の一部を拡大させ、プロジェクタの投写画像の一部を拡大させることも可能である。
【先行技術文献】
【特許文献】
【０００４】
【特許文献１】特開２００５−０９９６１７号公報
【特許文献２】特開２００９−０３１３３８号公報
【特許文献３】特開２０００−３１１０３９号公報
【発明の概要】
【発明が解決しようとする課題】
【０００５】
しかしながら、パソコンのソフトを駆使して投写画像の一部分を拡大する方法は、装置が複雑であったり操作が煩雑になって表示に時間がかかったりする。また、プロジェクタ装置全体のコストも大きなものになってしまう。
【０００６】
本発明は上記問題点を解決するために、簡単な方法で手軽に投写画像の一部分を拡大表示させる装置を提案するものである。
【課題を解決するための手段】
【０００７】
本発明による投射型プロジェクタ用部分拡大表示装置は、画像が付与された光をスクリーンに投射する投射レンズを備えた投射型プロジェクタに用いられ前記スクリーン上の画像の一部を拡大する部分拡大表示装置であって、前記投射レンズと前記スクリーンとの間に配置される凹レンズと、前記凹レンズが設けられるとともに前記凹レンズを光軸と直交する面内で移動自在に保持するレンズ保持部材と、前記レンズ保持部材の一端側に設けられ前記レンズ保持部材を操作して前記凹レンズを移動させる操作部材と、を備えたことを特徴とする。
【０００８】
前記レンズ保持部材を挟持する一対の支持板を備え、前記一対の支持板の一方に前記操作部材が突出する操作開口が設けられようにすると良い。前記操作部材は前記操作開口により操作範囲が規制され、前記凹レンズの移動による一部画像の拡大可能範囲が前記投射レンズによる全投写範囲と一致するように前記操作開口が形成され、前記操作部材による前記凹レンズの移動範囲が前記投射レンズによる画像の投写範囲外となる切り欠きが形成されることが好ましい。前記一対の支持板の他方に長孔が形成されるとともに前記レンズ保持部材の他端側に操作補助部材が設けられ、前記操作補助部材が前記長孔と係合して光軸と直交する直線上を移動自在に支持されるようにすると良い。
【０００９】
前記レンズ保持部材は前記凹レンズが形成された透明な平行平面板であることが望ましい。あるいは、前記凹レンズを保持するレンズ保持部の左右に一対のアームが形成され、一方のアームの先端に前記操作部材が設けられるとともに他方のアームの先端に前記操作補助部材が設けられるようにしても良い。前記操作部材と操作補助部材は前記レンズ保持部材に一体に形成されるようにすると良い。前記部分拡大表示装置は、投射型プロジェクタが載置され上下に位置調節自在な載置板を備えるようにすると良い。あるいは投射型プロジェクタの筐体内で前記投射レンズの前方に配置されるようにしても良い。
【発明の効果】
【００１０】
本発明によれば従来の投射型プロジェクタを載せて使用するだけ、あるいは、従来の投射型プロジェクタの中に部分拡大表示装置を組み込むだけで、簡単に手軽に投写画像の一部分を拡大表示させることができる。
【図面の簡単な説明】
【００１１】
【図１】本発明による部分拡大表示装置に投射型プロジェクタを載置した構成を示す斜視概観図である。
【図２】スクリーンに投写する説明図である。
【図３】部分拡大表示装置の垂直方向の一部断面図である。
【図４】部分拡大表示装置の水平方向の断面図である。
【図５】部分拡大表示装置の構成を説明する模式図である。
【図６】投射レンズ側から見たときの凹レンズの位置を説明する図である。
【図７】凹レンズを右上にしたときの操作部の位置を示す図である。
【図８】凹レンズを左下にしたときの操作部の位置を示す図である。
【図９】凹レンズを右下にしたときの操作部の位置を示す図である。
【図１０】凹レンズを投射画面範囲から退避させたときの操作部の位置を示す図である。
【図１１】投射プロジェクタによるスクリーンの投写映像である。
【図１２】図１１の投写映像の一部を拡大表示した図である。
【図１３】本発明による部分拡大表示装置を内蔵した投射型プロジェクタの斜視概観図である。
【図１４】図１１の垂直断面図である。
【図１５】図１１の水平断面図である。
【図１６】別のレンズ保持部材を示す斜視図である。
【発明を実施するための形態】
【００１２】
図１及び図２に示されるように、本発明による投射型プロジェクタ用部分拡大表示装置（以下、部分拡大表示装置と言う）１０は、投射型プロジェクタ２０を載置して使用するものであり、４つの位置調整ノブ１２を回すことで上下に移動する載置板１３を備えている。載置板１３に載置された投射型プロジェクタ２０は投射光の光軸２１が部分拡大表示装置１０の投射開口１５の中心になるように位置調整される。投射型プロジェクタ２０は略直方体をした筐体２２に、光源装置２３、ＬＣＤ（画像表示装置）２４、投射レンズ２５、制御装置２６が収容され、筐体２２の上面に、フォーカスダイヤル２７、ズームダイヤル２８、光量調節ダイヤル２９が設けられている。
【００１３】
光源装置２３は、例えば、ＲＧＢ３色の光をそれぞれ出射する３つのＬＥＤを有し、それぞれの光に対応するダイクロイックミラーによってＲＧＢ３色の光が同一光軸上に出射される。出射された光はＬＣＤ２４で画像が付与された後に投射レンズ２５から出射され、部分拡大表示装置１０の投射開口１５を透過してスクリーン１８に投写される。制御装置２６はＣＰＵやメモリ等を備え、ＬＣＤ２４の画像形成面にＲＧＢ３色の画像を順次に表示させたり、３色の画像に同調させて３色のＬＥＤからそれぞれの光を出射させる。
【００１４】
また、フォーカスダイヤル２７は投射レンズ２５のピント調節機構（図示せず）を作動させ、スクリーンに投写された画像のピント調節を行う。ピント調節された画像の一部が部分拡大表示装置１０によって拡大された場合、拡大された画像のピントは少しだけずれるが、それによる画像のボケは通常は許容範囲内である。拡大された画像のピンボケが気になる場合は、投射レンズ２５のピント調節機構を作動させてピンボケを解消することができる。ズームダイヤル２８は投射レンズ２５をズーミングしてスクリーンに投写される画像の大きさを調節する。光量調節ダイヤル２９はスクリーンに投写された画像の明るさを調節する。これらは部分拡大表示装置１０を除いて周知技術であるから詳細な説明は省略する。
【００１５】
図３に示されるように、部分拡大表示装置１０は、光軸２１と垂直な前板３１と光軸２１と平行で前板３１が立設される基板３２からなるベース部材３３を備える。基板３２には位置調整ノブ１２に連設され載置板１３に形成されたネジ孔１４と螺合するネジ１６が、回転自在に、かつ基板３２から抜けないように設けられており、位置調整ノブ１２を回すとネジ１６が回転して、載置板１３が上下に移動する。これによって、載置板１３に載置された投射型プロジェクタ２０の光軸２１を投射開口１５の中心に位置合わせすることができる。
【００１６】
図４及び図５に示されるように、前板３１に設けられたボス３４にネジ孔３５が形成され、支持板３６がネジ３７によって固定される。前板３１と支持板３６の間にレンズ板（レンズ保持部材）４０が挟持され、レンズ板４０が光軸２１と直交する面内で移動自在に支持される。前板３１と支持板３６とで請求項記載の一対の支持板を構成する。レンズ板４０は透明で平行平面に形成された板の中央に凹レンズ４１が形成され、レンズ板４０の周辺の一ヶ所（一端）が平行平面に沿って延設され、平行平面の一方の面に操作部（操作部材）４２が立設される。また、操作つまみ４２が立設された位置とは反対側の周辺が平行平面に沿って延設され、平行平面の他方の面に円柱状の凸部（操作補助部材）４３が立設される。
【００１７】
支持板３６は光軸２１を中心とする開口４５が形成される他に、凸部４３と嵌合して凸部４３が光軸２１と直交する水平軸方向に移動自在となるように凸部４３を支持する長孔４６が形成される。前板３１には投射開口１５の他に、操作つまみ４２が突出する操作開口４７が形成される。操作開口４７は縦長の矩形に形成され、光軸２１に近い一辺の中央に切り欠き４８が形成される。レンズ板４０は、長孔４６によって他端側の凸部４３が水平位置を保持し、一端側の操作つまみ４２が操作開口４７の範囲内を移動する。操作つまみ４２は操作開口４７の範囲内を移動させることで、凹レンズ４１がスクリーン上に写された画像の全ての範囲で画像の拡大表示をすることができる。
【００１８】
操作つまみ４２は操作開口４７によって不要な範囲まで動かされることが規制されるが、凹レンズ４１を表示画像範囲５０外にするときは操作つまみ４２を切り欠き４８の位置に合わせる。レンズ板４０は、外周近くの数ヶ所の両面に小さな球面状凸部４４が形成され、前板３１及び支持板３６に接触して平行平面部分に摺動による傷が付かないようにされている。なお、操作つまみ４２をレンズ板４０に一体に形成するのではなく、レンズ板４０とは別に形成してレンズ板４０にネジ止め又は接着などによって固定しても良い。
【００１９】
次に、レンズ板４０の操作つまみ４２と凹レンズ４１の位置関係を説明し、本発明による作用効果について説明する。例えば、図５に示されるように、操作つまみ４２が操作開口４７の中央に位置するときは、凹レンズ４１は表示画像範囲５０の中央に位置する。また、図６に示されるように、スクリーン１８の左上隅を拡大したいときは、投射レンズ２５側からレンズ板４０を見て操作つまみ４２を操作開口４７の左上隅の位置にすれば凹レンズ４１も表示画像範囲５０の左上隅の位置となり、スクリーン１８に投写された画像の左上隅の一部が拡大表示される。
【００２０】
図７に示されるように、スクリーン１８の右上隅を拡大したいときは、操作つまみ４２を操作開口４７の右上隅の位置にすれば凹レンズ４１も表示画像範囲５０の右上隅の位置となり、スクリーン１８に投写された画像の右上隅の一部が拡大表示される。図８，９に示されるように、スクリーン１８の左下隅又は右下隅を拡大したいときは、操作つまみ４２を操作開口４７の左下隅又は右下隅の位置にすれば凹レンズ４１も表示画像範囲５０の左下隅又は右下隅の位置となり、スクリーン１８に投写された画像の左下隅又は右下隅の一部が拡大表示される。
【００２１】
更に、拡大表示が不要な場合は、図１０に示されるように、操作つまみ４２を操作開口４７の切り欠き４８の位置にすれば凹レンズ４１も表示画像範囲５０から外れた位置となる。図１１に示すように、例えば、スクリーン１８に公開特許公報フロントページの下方部分が表示されている。操作つまみ４２は切り欠き４８の位置にあってスクリーン１８上の画像に拡大された部分はない。このとき、表示されたＦタームの番号が見難ければ、図１２に示すように、凹レンズを操作して拡大して見たい位置に凹レンズを持ってくることで容易にその番号を確認することができる。このとき、レンズ外周付近（図中、太線部分）では像が乱れるが、中央部分はスッキリ見えるので実用上問題ない。
【００２２】
次に、部分拡大表示装置１０の別の実施形態について説明するが、前記実施形態と同じものは同じ符号を付して説明を省略する。図１３〜１５に示すように、投射型プロジェクタ６０は部分拡大表示装置１０を筐体６２の内部で投射レンズ２５の前方に収容したものであり、略直方体をした筐体６２に光源装置２３、ＬＣＤ２４、制御装置２６を収容し、筐体６２の上面に、フォーカスダイヤル２７、ズームダイヤル２８、光量調節ダイヤル２９が設けられている。筐体６２の前板６３には光軸２１を中心とした円形の投射開口１５が形成され、載置台６４に載置された投射レンズ２５の光軸２１が投射開口１５の中心になるように位置調整されて固定される。
【００２３】
前板６３にはネジ孔３５が設けられたボス３４が形成され、支持板３６がネジ３７によって固定される。前板６３と支持板３６の間にレンズ板４０が挟持され、レンズ板４０が光軸２１と直交する面内で移動自在に支持される。前板６３と支持板３６とで請求項記載の一対の支持板を構成する。前板６３には投射開口１５の他に操作つまみ４２が突出する操作開口４７が形成され、操作つまみ４２が操作開口４７に規制された範囲内を移動自在となる。これによって凹レンズ４１がレンズ板４０の位置における投射光の表示画像範囲５０内を移動自在となる。凹レンズ４１を表示画像範囲５０外にするときは操作つまみ４２を切り欠き４８の位置にする。
【００２４】
次にレンズ保持部材の別の実施形態について説明するが、前記実施形態と同じものは同じ符号を付して説明を省略する。図１６に示すように、レンズ保持部材７０は、凹レンズ７１が嵌合されるレンズ開口７２が設けられた保持枠７３が中央に形成される。保持枠７３の左右には一対のアーム７４，７５が形成され、一方のアーム７４の先端部分７６に操作部材４２が、他方のアーム７５の先端部分７７には凸部４３が設けられる。保持枠７３は、リング状でなくても良く、例えば、Ｕ字形であっても良い。ここでアーム７４，７５は画像の投写の際にはデフォーカスとなるので問題なく、例え写ったとしても、そのとき注視されるのは拡大された部分であるから、全く問題とならない。
【００２５】
また、操作つまみ４２とは別に操作用のアームを設けても良い。その場合は操作つまみ４２に代わる凸部を設け操作開口４７に係合させて凹レンズ４１の移動範囲を制限する。操作開口４７を支持板３６に形成して外部から見えないようにすると良い。
【符号の説明】
【００２６】
１０  部分拡大表示装置
１２  位置調整ノブ
１３  載置板
１４，３５  ネジ孔
１５  投射開口
１６，３７  ネジ
１８  スクリーン
２０，６０  投射型プロジェクタ
２１  光軸
２２，６２  筐体
２３  光源装置
２４  ＬＣＤ（画像表示装置）
２５  投射レンズ
２６  制御装置
２７  フォーカスダイヤル
２８  ズームダイヤル
２９  光量調節ダイヤル
３１，６３  前板
３２  基板
３３  ベース部材
３４  ボス
３６  支持板
４０  レンズ板（レンズ保持部材）
４１，７１  凹レンズ
４２  操作つまみ（操作部材）
４３  凸部（操作補助部材）
４４  球面状凸部
４５  開口
４６  長孔
４７  操作開口
４８  切り欠き
５０  表示画像範囲
６４  載置台
７０  レンズ保持部材
７２  レンズ開口
７３  保持枠
７４，７５  アーム
７６，７７  先端部分
【図１】
2012053146.tif 000003
【図２】
2012053146.tif 000004
【図３】
2012053146.tif 000005
【図４】
2012053146.tif 000006
【図５】
2012053146.tif 000007
【図６】
2012053146.tif 000008
【図７】
2012053146.tif 000009
【図８】
2012053146.tif 000010
【図９】
2012053146.tif 000011
【図１０】
2012053146.tif 000012
【図１１】
2012053146.tif 000013
【図１２】
2012053146.tif 000014
【図１３】
2012053146.tif 000015
【図１４】
2012053146.tif 000016
【図１５】
2012053146.tif 000017
【図１６】
2012053146.tif 000018